(57)【要約】【課題】非確認型のメッセージなどのような特定のデータを受信し損ねてしまう確率を低減することを可能とする。【解決手段】ＳＩＲ測定部１５で受信ＳＩＲ値を測定し、この受信ＳＩＲ値と所定の目標ＳＩＲ値との大小関係に基づいて“Ｕｐ”コマンドまたは“Ｄｏｗｎ”コマンドを示すＴＰＣビットをＳＩＲ比較判定部１６およびＴＰＣビット生成部１７により生成する。一方、長区間品質測定部１１でＢＬＥＲを測定し、この測定ＢＬＥＲ値を目標ＢＬＥＲ値に近づけるべく目標品質設定部１２、ＢＬＥＲ比較判定部１３、増減制御部１４ｂおよび目標ＳＩＲ出力部１４ａにより上記の目標ＳＩＲ値を変化する。ただし所定のデータが送られてくるのに先立つ所定のタイミングで主制御部９からなされるジャンプアップ指示に応じて、ジャンプアップ制御部１４ｃが上記の目標ＳＩＲ値を一定量ジャンプアップさせる。【選択図】　　図２
2004112097.tif 000002
【特許請求の範囲】
【請求項１】
基地局が無線通信端末からの増加指示または減少指示に応じてその無線通信端末に割り当てた個別チャネルの送信電力を増加および減少する移動無線通信システムに適合する無線通信端末用の電力制御モジュールにおいて、
前記個別チャネルの受信に関する第１品質値を測定する第１測定手段と、
前記第１測定手段により測定された第１品質値と所定の目標第１品質値との大小関係に基づいて前記増加指示または前記減少指示を生成する指示生成手段と、
前記個別チャネルの受信に関する第２品質値を測定する第２測定手段と、
前記目標第１品質値を生成するもので、前記第２測定手段により測定された第２品質値を所定の目標第２品質値に近づけるべく前記生成する目標第１品質値を変化する目標生成手段と、
前記個別チャネルを介して所定のデータが送られてくるのに先立つ所定のタイミングでなされるジャンプアップ指示に応じて前記目標第１品質値を一定量ジャンプアップさせる制御手段とを具備したことを特徴とする電力制御モジュール。
【請求項２】
前記所定のデータは非確認型（Ｕｎａｃｋｎｏｗｌｅｄｇｅ　Ｍｏｄｅ）のデータであることを特徴とする請求項１に記載の電力制御モジュール。
【請求項３】
前記目標生成手段は、
前記第２測定手段により測定された第２品質値と前記目標第２品質値とを比較する比較手段と、
前記目標第１品質値を出力するもので、前記の比較手段での比較結果に応じて出力する目標第１品質値を変化する出力手段とを具備し、
かつ前記制御手段は、前記出力手段が出力する目標第１品質値を前記一定量ジャンプアップさせることを特徴とする請求項１に記載の電力制御モジュール。
【請求項４】
前記目標生成手段は、
前記第２測定手段により測定された第２品質値と前記目標第２品質値とを比較する比較手段と、
前記目標第１品質値を出力するもので、前記の比較手段での比較結果に応じて出力する目標第１品質値を変化する出力手段とを具備し、
かつ前記制御手段は、前記第２測定手段により測定された第２品質値として前記比較手段に与える値を前記一定量に応じた所定量ジャンプアップさせることを特徴とする請求項１に記載の電力制御モジュール。
【請求項５】
基地局が無線通信端末からの増加指示または減少指示に応じてその無線通信端末に割り当てた個別チャネルの送信電力を増加および減少する移動無線通信システムに適合する無線通信端末において、
前記個別チャネルの受信に関する第１品質値を測定する第１測定手段と、
前記第１測定手段により測定された第１品質値と所定の目標第１品質値との大小関係に基づいて前記増加指示または前記減少指示を生成する指示生成手段と、
前記個別チャネルの受信に関する第２品質値を測定する第２測定手段と、
前記目標第１品質値を生成するもので、前記第２測定手段により測定された第２品質値を所定の目標第２品質値に近づけるべく前記生成する目標第１品質値を変化する目標生成手段と、
ジャンプアップ指示に応じて前記目標第１品質値を一定量ジャンプアップさせる制御手段と、
前記個別チャネルを介して所定のデータが送られてくるのに先立つ所定のタイミングで前記ジャンプアップ指示を前記制御手段へと与える指示手段とを具備したことを特徴とする無線通信端末。
【請求項６】
前記指示手段は、前記個別チャネルを介して行う通信のプロトコルを監視し、前記所定のデータに先立って行われる別のデータの授受が行われたタイミングで前記ジャンプアップ指示を前記制御手段へと与えることを特徴とする請求項５に記載の無線通信端末。
【請求項７】
前記指示手段は、前記目標第１品質値をジャンプアップさせる量を前記制御手段へと指示し、
かつ前記制御手段は前記目標第１品質値を前記指示手段から指示された量ジャンプアップさせることを特徴とする請求項５に記載の無線通信端末。
【請求項８】
基地局が無線通信端末からの増加指示または減少指示に応じてその無線通信端末に割り当てた個別チャネルの送信電力を増加および減少する移動無線通信システムに適合する無線通信端末用の電力制御モジュールにおいて、
前記個別チャネルの受信に関する第１品質値を測定する第１測定手段と、
前記第１測定手段により測定された第１品質値と所定の目標第１品質値との大小関係に基づいて前記増加指示または前記減少指示を生成する指示生成手段と、
前記個別チャネルを介して所定のデータが送られてくるのに先立つ所定のタイミングでなされるジャンプアップ指示に応じて前記目標第１品質値を一定量ジャンプアップさせる制御手段とを具備したことを特徴とする電力制御モジュール。
【請求項９】
前記制御手段は、前記個別チャネルを介して所定のデータを受信後の所定のタイミングでなされるジャンプダウン指示に応じて前記目標第１品質値を一定量ジャンプダウンさせることを特徴とする請求項８に記載の電力制御モジュール。
【請求項１０】
前記制御手段は、前記個別チャネルを介して所定のデータが送られてくるのに先立つ所定のタイミングでなされるジャンプアップ指示に応じて前記目標第１品質値を一定量ジャンプアップさせた一定時間後に、前記目標第１品質値を一定量ジャンプダウンさせることを特徴とする請求項８に記載の電力制御モジュール。
【請求項１１】
前記所定のデータは非確認型（Ｕｎａｃｋｎｏｗｌｅｄｇｅ　Ｍｏｄｅ）のデータであることを特徴とする請求項８乃至請求項１０のいずれかに記載の電力制御モジュール。
【請求項１２】
基地局が無線通信端末からの増加指示または減少指示に応じてその無線通信端末に割り当てた個別チャネルの送信電力を増加および減少する移動無線通信システムに適合する無線通信端末において、
前記個別チャネルの受信に関する第１品質値を測定する第１測定手段と、
前記第１測定手段により測定された第１品質値と所定の目標第１品質値との大小関係に基づいて前記増加指示または前記減少指示を生成する指示生成手段と、
ジャンプアップ指示に応じて前記目標第１品質値を一定量ジャンプアップさせる制御手段と、
前記個別チャネルを介して所定のデータが送られてくるのに先立つ所定のタイミングで前記ジャンプアップ指示を前記制御手段へと与える指示手段とを具備したことを特徴とする無線通信端末。
【請求項１３】
前記指示手段は、前記個別チャネルを介して行う通信のプロトコルを監視し、前記所定のデータに先立って行われる別のデータの授受が行われたタイミングで前記ジャンプアップ指示を前記制御手段へと与えることを特徴とする請求項１２に記載の無線通信端末。
【請求項１４】
前記指示手段は、前記目標第１品質値をジャンプアップ、させる量を前記制御手段へと指示し、
かつ前記制御手段は前記目標第１品質値を前記指示手段から指示された量ジャンプアップさせることを特徴とする請求項１２に記載の無線通信端末。
【請求項１５】
基地局が無線通信端末からの増加指示または減少指示に応じてその無線通信端末に割り当てた個別チャネルの送信電力を増加および減少する移動無線通信システムに適合する無線通信端末において、
前記個別チャネルの受信に関する第１品質値を測定する第１測定手段と、
前記第１測定手段により測定された第１品質値と所定の目標第１品質値との大小関係に基づいて前記増加指示または前記減少指示を生成する指示生成手段と、ジャンプダウン指示に応じて前記目標第１品質値を一定量ジャンプダウンさせる制御手段と、
前記個別チャネルを介して所定のデータを受信した後の所定のタイミングでジャンプダウン指示を前記制御手段へと与える指示手段とを具備したことを特徴とする無線通信端末。
【請求項１６】
前記指示手段は、前記個別チャネルを介して行う通信のプロトコルを監視し、前記所定のデータの受信後の所定のタイミングで前記ジャンプダウン指示を前記制御手段へと与えることを特徴とする請求項１５に記載の無線通信端末。
【請求項１７】
前記指示手段は、前記目標第１品質値をジャンプダウンさせる量を前記制御手段へと指示し、
かつ前記制御手段は前記目標第１品質値を前記指示手段から指示された量ジャンプダウンさせることを特徴とする請求項１５に記載の無線通信端末。
【発明の詳細な説明】
【０００１】
【発明の属する技術分野】
本発明は、無線通信端末からの指示に応じて基地局が送信電力を増減する例えばＣＤＭＡ（Ｃｏｄｅ　Ｄｉｖｉｓｉｏｎ　Ｍｕｌｔｉｐｌｅ　Ａｃｃｅｓｓ）方式を採用した自動車電話システムや携帯電話システムなどの移動無線通信システムに適合する無線通信端末と、その無線通信端末用の電力制御モジュールに関する。
【０００２】
【従来の技術】
Ｗ−ＣＤＭＡ方式の移動無線通信システムでは、以下に詳述するクローズドループ送信電力制御という技術が用いられている（例えば、非特許文献１を参照）。
【０００３】
クローズドループ送信電力制御では、受信側において通信チャネルの品質測定を行い、その測定結果により、受信中の通信チャネルが所要の品質を満たすように、送信電力制御（ＴＰＣ：Ｔｒａｎｓｍｉｔｔｅｒ　Ｐｏｗｅｒ　Ｃｏｎｔｒｏｌ）ビットを折り返しのチャネル（ＤＰＣＣＨ：Ｄｅｄｉｃａｔｅｄ　Ｐｈｙｓｉｃａｌ　Ｃｏｎｔｒｏｌ　Ｃｈａｎｎｅｌ）を用いて伝送し、送信側に送信電力のＵｐ／Ｄｏｗｎを指示することで、受信中の通信チャネルの電力値を制御している。そしてこのクローズドループ送信電力制御には、インナーループ（Ｉｎｎｅｒ　Ｌｏｏｐ）制御と、アウターループ（Ｏｕｔｅｒ　Ｌｏｏｐ）制御とがある。
【０００４】
下り通信チャネルにおけるインナーループ送信電力制御では、移動局において、受信ＳＩＲ（Ｓｉｇｎａｌ−ｔｏ−Ｉｎｔｅｒｆｅｒｅｎｃｅ　Ｒａｔｉｏ）を測定する。この測定した受信ＳＩＲが目標ＳＩＲに達していない場合には“Ｕｐ”コマンドを、受信ＳＩＲが目標ＳＩＲ値以上であった場合には“Ｄｏｗｎ”コマンドをＴＰＣビットとして移動局が送信する。基地局では、当該ＴＰＣビットを受信し、その復号結果に基づいて送信電力を±１ｄＢ変化させる。このようなクローズドループの制御を、スロット周期で行う。なおスロット周期は、１無線フレーム周期１０ｍｓの１５分の１であり、０．６６７ｍｓである。
【０００５】
アウターループ送信電力制御は、上記のインナーループ送信電力制御における目標ＳＩＲ値を、ＢＥＲ（Ｂｉｔ　Ｅｒｒｏｒ　Ｒａｔｅ）やＢＬＥＲ（Ｂｌｏｃｋ　Ｅｒｏｒｒ　Ｒａｔｅ）などの通信品質値がある目標品質値となるように変化させる。通信品質値は、ある程度長区間（数百ｍｓから数ｓ）で測定し、この測定結果に基づいて目標品質値を得るための適切な目標ＳＩＲ値を設定する。
【０００６】
【非特許文献１】
３ＧＰＰ　ＴＳ　２５．２１４　Ｖ４．１．０　（２００１−０６）
【０００７】
【発明が解決しようとする課題】
しかし、上述した従来技術においては、無線回線容量の増大を計るために、個々の移動局の通信チャネルが所要の品質を満たす範囲で、出来る限り基地局からの送信電力を低くする。例えばパケットの場合、移動局におけるアウターループ送信電力制御での目標ＢＬＥＲ値は数％に設定されている。そのため、確率的に数％の受信データをＣＲＣ−ＮＧにより取りこぼしてしまうことになり、再送が必要となる。
【０００８】
一方、終話時（通信終了時）の呼制御メッセージとして、最後に基地局から“ＲＲＣ　ＣＯＮＮＥＣＴＩＯＮ　ＲＥＬＥＡＳＥ”が送信され、それを受信すると移動局は基地局に対して、“ＲＲＣ　ＣＯＮＮＥＣＴＩＯＮ　ＲＥＬＥＡＳＥ　ＣＯＭＰＬＥＴＥ”を送信して初めて、呼を終了することができ、ＰＣＨ（Ｐａｇｉｎｇ　Ｃｈａｎｎｅｌ）の待ち受け状態になることができる。ところが、前記２つのメッセージが送受信されるＲＬＣ（Ｒａｄｉｏ　Ｌｉｎｋ　Ｃｏｎｔｒｏｌ）コネクションは、非確認型（ＵＭ：Ｕｎａｃｋｎｏｗｌｅｄｇｅ　Ｍｏｄｅ）であるため、移動局が受信に失敗しても、基地局のＲＬＣ　Ｓｕｂ−Ｌａｙｅｒ（Ｌａｙｅｒ２）による再送は行われない。そのため、終話時（通信終了時）に基地局から送信される“ＲＲＣ　ＣＯＮＮＥＣＴＩＯＮ　ＲＥＬＥＡＳＥ”を移動局が受信し損ねると、移動局のＬａｙｅｒ３が、“ＲＲＣ　ＣＯＮＮＥＣＴＩＯＮ　ＲＥＬＥＡＳＥ”受信待ちのタイムアウトをするまで、移動局は呼を終了することができなくなる。この場合、ＰＣＨ待ち受け状態にもなれず、終話後にすぐに発呼を行うことができなくなってしまうという不具合があった。
【０００９】
本発明はこのような事情を考慮してなされたものであり、非確認型のメッセージなどのような特定のデータを受信し損ねてしまう確率を低減することを可能とすることにある。
【００１０】
【課題を解決するための手段】
以上の目的を達成するために本発明は、基地局が無線通信端末からの増加指示または減少指示に応じてその無線通信端末に割り当てた個別チャネルの送信電力を増加および減少する移動無線通信システムに適合する無線通信端末用の電力制御モジュールにおいて、前記個別チャネルの受信に関する第１品質値を測定する第１測定手段と、前記第１測定手段により測定された第１品質値と所定の目標第１品質値との大小関係に基づいて前記増加指示または前記減少指示を生成する指示生成手段と、前記個別チャネルの受信に関する第２品質値を測定する第２測定手段と、前記目標第１品質値を生成するもので、前記第２測定手段により測定された第２品質値を所定の目標第２品質値に近づけるべく前記生成する目標第１品質値を変化する目標生成手段と、制御手段とを備え、前記個別チャネルを介して所定のデータが送られてくるのに先立つ所定のタイミングでなされるジャンプアップ指示に応じて前記制御手段により前記目標第１品質値を一定量ジャンプアップさせることとした。
【００１１】
このような手段を講じたことにより、個別チャネルの受信に関する第１品質値が測定され、この第１品質値と所定の目標第１品質値との大小関係に基づいて増加指示または減少指示が生成される。一方、個別チャネルの受信に関する第２品質値が測定され、この第２品質値を所定の目標第２品質値に近づけるべく前記目標第１品質値が変化される。ただし個別チャネルを介して所定のデータが送られてくるのに先立つ所定のタイミングでは、目標第１品質値が一定量ジャンプアップされる。従って、所定のデータが送られてくるのに先立って増加指示が強制的に生成され、これにより基地局に対して送信電力の増加が指示される。そしてこれにより、所定のデータを大きな送信電力で送信させることが可能となる。
【００１２】
【発明の実施の形態】
以下、図面を参照しながら本発明の一実施形態について説明する。なおここでは、３ＧＰＰ　ＴＳ　２５．２１４　Ｖ４．１．０　（２００１−０６）に規定されたＷ−ＣＤＭＡ方式に準拠する移動無線通信システムに適合した無線通信端末を対象とする。
【００１３】
図１は本実施形態に係る無線通信端末のブロック図である。
【００１４】
この図に示すように本実施形態の無線通信端末は、アンテナ１、無線部２、ＣＤＭＡ処理部３、圧縮伸長部４、ＰＣＭ処理部５、通話部６、ユーザインタフェース部７、記憶部８および主制御部９を有している。無線部２は、デュプレクサ（ＤＵＰ）２ａ、受信回路（ＲＸ）２ｂ、周波数シンセサイザ（ＳＹＮ）２ｃおよび送信回路（ＴＸ）２ｄを有する。通話部６は、レシーバアンプ６ａ、スピーカ６ｂ、マイクロホン６ｃおよび送話アンプ６ｄを有する。ユーザインタフェース部７は、表示部７ａおよび入力部７ｂを有する。
【００１５】
図示しない基地局から送信された無線信号は、アンテナ１で受信されたのち無線部２に入力される。無線部２では、上記無線信号はデュプレクサ２ａを介して受信回路２ｂに入力される。無線信号は、周波数シンセサイザ２ｃから出力された受信局部発振信号と受信回路２ｂにおいてミキシングされることで中間周波信号に周波数変換される。なお、上記周波数シンセサイザ２ｃから発生される受信局部発振信号の周波数は、主制御部９から出力される制御信号によって設定される。
【００１６】
上記中間周波信号は、ＣＤＭＡ処理部３に入力される。ＣＤＭＡ処理部３は、網側より割り当てられたスクランブリングコードとチャネライゼーションコードによって上記中間周波信号を逆拡散処理する。続いてＣＤＭＡ処理部３は、例えばＱＰＳＫ（Ｑｕａｄｒａｔｕｒｅ　Ｐｈａｓｅ　Ｓｈｉｆｔ　Ｋｅｙｉｎｇ）変調方式に対応する直交復調を行い、これによりデータレートに応じた所定のフォーマットの復調データまたはパケットデータに変換する。そしてＣＤＭＡ処理部３は、この変換された復調データを圧縮伸長部４に与え、パケットデータを主制御部９に与える。
【００１７】
圧縮伸長部４は、上記ＣＤＭＡ処理部３から出力された復調データに対し、主制御部９から通知される受信データレートに応じた伸長処理を施す。さらに圧縮伸長部４は、ビタビ復号などを用いた復号処理および誤り訂正復号処理を行って、ベースバンドの音声データを再生する。圧縮伸長部４は、音声データをＰＣＭ処理部５に与える。
【００１８】
ＰＣＭ処理部５は、圧縮伸長部４から出力されたディジタルの音声データをＰＣＭ復号してアナログの音声信号を得る。この音声信号は、レシーバアンプ６ａで増幅されたのち、スピーカ６ｂより音声として出力される。
【００１９】
話者が発した音声は、マイクロホン６ｃにより音声信号に変換される。この音声信号は、送話アンプ６ｄに入力される。音声信号は、送話アンプ６ｄにより適正レベルまで増幅されたのち、ＰＣＭ処理部５へと与えられる。
【００２０】
ＰＣＭ処理部５は、上記音声信号に対してＰＣＭ符号化処理を施し、ディジタルの音声データを得る。ＰＣＭ処理部５は、この音声データを圧縮伸長部４に与える。
【００２１】
圧縮伸長部４は、音声データのエネルギー量を検出し、この検出結果に基づいてデータレートを決定する。そして圧縮伸長部４は、上記音声データを上記データレートに応じたフォーマットの信号にＱＣＥＬＰ方式により圧縮する。さらに圧縮伸長部４は、音声データに対して例えば畳み込み符号化による誤り訂正符号化処理を施したのちＣＤＭＡ処理部３へ出力する。
【００２２】
ＣＤＭＡ処理部３は、圧縮伸長部４から個々に与えられる各種伝送チャネルの送信データを多重化する。さらにＣＤＭＡ処理部３は、多重化後の送信データにより搬送波信号を変調する。この変調には、例えばＱＰＳＫが用いられる。ＣＤＭＡ処理部３は、変調された搬送波信号に対して、送信チャネルごとに割り当てられたＰＮ符号を用いてスペクトラム拡散処理を施して送信信号を得る。そしてＣＤＭＡ処理部３は、上記送信信号を無線部２の送信回路２ｄへと与える。
【００２３】
送信回路２ｄは、上記送信信号を、周波数シンセサイザ２ｃから発生される送信局部発振信号と合成することで無線周波信号に変換する。そして、送信回路２ｄは、主制御部９により通知される送信データレートに基づいて、上記無線周波信号の有効部分だけを高周波増幅した上で出力する。この送信回路２ｄから出力された無線周波信号は、デュプレクサ２ａを介してアンテナ１に供給され、このアンテナ１から接続中の基地局へ向けて送信される。
【００２４】
入力部７ｂには、各種のキーを含むキー群が設けられている。入力部７ｂは、これらのキーの押下による使用者指示を入力する。また表示部７ａには、ＬＣＤ（ｌｉｑｕｉｄ　ｃｒｙｓｔａｌ　ｄｉｓｐｌａｙ）およびＬＥＤ（ｌｉｇｈｔ　ｅｍｉｔｔｉｎｇ　ｄｉｏｄｅ）等が設けられている。表示部７ａは、これらＬＣＤおよびＬＥＤを用いて、通信相手の端末の電話番号および例えば着信状態などのような自端末の動作状態をはじめ、ＷＥＢサイトからのダウンロード情報、送受信メール、動画像、図示しないバッテリのＤｉｓｃｈａｒｇｅ状態等を表示する。
【００２５】
記憶部８は、例えばＲＯＭ、ＤＲＡＭ（ｄｙｎａｍｉｃ　ＲＡＭ）、ＳＲＡＭ（ｓｔａｔｉｃ　ＲＡＭ）、あるいはフラッシュメモリなどを適宜用いてなる。この記憶部８は、主制御部９用の動作プログラムを記憶する。また記憶部８は、各種の設定情報や各種の受信データ、あるいは本装置で作成された各種のデータなど、さまざまなデータを記憶する。
【００２６】
主制御部９は、記憶部８に記憶されている動作プログラムに基づくソフトウェア処理により各部の制御処理を行うことで、無線通信端末としての動作を実現する。また主制御部９は、ジャンプアップ指示部９ａとして動作する。
【００２７】
ここでジャンプアップ指示部９ａは、ＣＤＭＡ処理部３に対して目標ＳＩＲ値を一定量ΔＳＩＲ［ｄＢ］だけジャンプアップするよう指示する。
【００２８】
ところでＣＤＭＡ処理部３には、ＴＰＣモジュール３ａが設けられている。図２はＴＰＣモジュール３ａのブロック図である。
【００２９】
図２に示すようにＴＰＣモジュール３ａは、長区間品質測定部１１、目標品質設定部１２、ＢＬＥＲ比較判定部１３、目標ＳＩＲ生成部１４、ＳＩＲ測定部１５、ＳＩＲ比較判定部１６およびＴＰＣビット生成部１７を有している。目標ＳＩＲ生成部１４はさらに、目標ＳＩＲ出力部１４ａ、増減制御部１４ｂおよびジャンプアップ制御部１４ｃを有している。
【００３０】
ＣＤＭＡ処理部３にて受信ベースバンド信号を逆拡散部３ｂで逆拡散された後、Ｒａｋｅ受信部３ｃにてＲａｋｅ合成および誤り訂正・復号化がなされた受信データ系列は、長区間品質測定部１１へと与えられる。長区間品質測定部１１では、上記受信データ系列において、ＣＲＣ結果が一致したトランスポートブロックの個数によりＢＬＥＲを数百ｍｓから数ｓ程度の長区間で測定する。長区間品質測定部１１は、この測定により得られた値（以下、測定ＢＬＥＲ値と称する）をＢＬＥＲ比較判定部１３へと与える。目標品質設定部１２は、所要とするＢＬＥＲ値（以下、目標ＢＬＥＲ値と称する）をＢＬＥＲ比較判定部１３へと与える。ＢＬＥＲ比較判定部１３は、測定ＢＬＥＲ値と目標ＢＬＥＲ値との差に比例した値として目標ＳＩＲの補正値を求める。そしてＢＬＥＲ比較判定部１３は、上記補正値を増減制御部１４ｂへと与える。
【００３１】
目標ＳＩＲ生成部１４では、アウターループ送信電力制御のための目標ＳＩＲ値を目標ＳＩＲ出力部１４ａで出力し、この目標ＳＩＲ値をＳＩＲ比較判定部１６へと与える。目標ＳＩＲ出力部１４ａが出力する目標ＳＩＲ値は、上記補正値に基づく増減制御部１４ｂによる制御の下に増減される。具体的には、増減制御部１４ｂは、新たに求められた補正値がＢＬＥＲ比較判定部１３から与えられた場合に、目標ＳＩＲ出力部１４ａが出力する目標ＳＩＲ値をその新たな補正値を加算した値に更新するように目標ＳＩＲ出力部１４ａを制御する。これにより目標ＳＩＲ値は、測定ＢＬＥＲ値が目標ＢＬＥＲ値より大きい場合、すなわち受信品質が悪い場合には大きくされ、逆に測定ＢＬＥＲ値が目標ＢＬＥＲ値より小さい場合、すなわち受信品質が良い場合には小さくされる。ジャンプアップ制御部１４ｃには、主制御部９からのジャンプアップ指示が与えられる。ジャンプアップ制御部１４ｃは、上記ジャンプアップ指示が与えられた場合に、そのジャンプアップ指示に示されているジャンプアップ量ΔＳＩＲを加算した値に目標ＳＩＲ値を更新するように目標ＳＩＲ出力部１４ａを制御する。なお、増減制御部１４ｂによる更新制御と、ジャンプアップ制御部１４ｃによる更新制御とが同時に生じた場合、双方の更新制御をともに有効としても良いし、ジャンプアップ制御部１４ｃによる更新制御のみを有効としても良い。
【００３２】
ＳＩＲ測定部１５は、Ｒａｋｅ受信部３ｃから入力される信号電力値と干渉電力値とに基づいて受信ＳＩＲ値を測定する。ＳＩＲ測定部１５は、測定した受信ＳＩＲ値をＳＩＲ比較判定部１６へと与える。ＳＩＲ比較判定部１６は、ＳＩＲ測定部１５から与えられる受信ＳＩＲ値と、目標ＳＩＲ出力部１４ａから与えられる目標ＳＩＲ値とを比較し、受信ＳＩＲ値が目標ＳＩＲ値以上であるか否かを判定する。ＳＩＲ比較判定部１６は、上記の判定の結果をＴＰＣビット生成部１７へと与える。ＴＰＣビット生成部１７は、ＳＩＲ比較判定部１６での判定結果に基づき、受信ＳＩＲ値が目標ＳＩＲ値に達していない場合には“Ｕｐ”コマンドを示すＴＰＣビットを出力し、また受信ＳＩＲ値が目標ＳＩＲ値以上である場合には“Ｄｏｗｎ”コマンドを示すＴＰＣビットを出力する。このＴＰＣビットは、ＵＬ−ＤＰＣＣＨにマッピングされて基地局へと送られる。
【００３３】
次に以上のように構成された無線通信端末の動作につき説明する。なお、音声通話機能などのような無線通信端末における一般的な機能を実現するための処理は従来と同様であるのでその説明は省略する。また、本実施の形態では、ＴＶ電話機能に関する構成はないが、カメラとＭＰＥＧ処理部を追加することで、同じ回線交換系のサービスである前記音声通話と同様に実現できる。ここでは、下り通信チャネルの送信電力制御に関する動作につき詳しく説明する。
【００３４】
長区間品質測定部１１、目標品質設定部１２、ＢＬＥＲ比較判定部１３、目標ＳＩＲ出力部１４ａおよび増減制御部１４ｂによりアウターループ送信電力制御に必要な目標ＳＩＲ値の生成制御が、またＳＩＲ測定部１５、ＳＩＲ比較判定部１６およびＴＰＣビット生成部１７によりアウターループ送信電力制御によるＴＰＣビットの生成処理が周知のように行われる。
【００３５】
図３は目標ＳＩＲ値と測定ＢＬＥＲ値との関係を示すグラフである。図３の上側のグラフが長区間品質測定部１１で測定される測定ＢＬＥＲ値の時間変化を示しており、図３の下側のグラフが目標ＳＩＲ出力部１４ａから出力される目標ＳＩＲ値の時間変化を示している。図３における時間軸は、上側および下側のグラフで同期している。
【００３６】
アウターループ送信電力制御が安定して機能している場合、図３における時刻ｔ１以前の期間のように、測定ＢＬＥＲ値が目標ＢＬＥＲ値に近づくように目標ＳＩＲ値が調整される。このときに目標ＳＩＲ値は、図３に示すようにある値ＳＩＲ＿ａの近辺で増減されることとなる。
【００３７】
このような状態から主制御部９からジャンプアップ制御部１４ｃへとジャンプアップ量ΔＳＩＲを示したジャンプアップ指示を与えると、ジャンプアップ制御部１４ｃは目標ＳＩＲ値をΔＳＩＲだけジャンプアップするように目標ＳＩＲ出力部１４ａを制御する。この制御の下に目標ＳＩＲ出力部１４ａは、図３における時刻ｔ１のように、目標ＳＩＲ値をそれまでの値ＳＩＲ＿ａにΔＳＩＲを加算した値ＳＩＲ＿ｂへとジャンプアップさせる。
【００３８】
さて、目標ＳＩＲ値がジャンプアップされるまでは前述のように目標ＳＩＲ値はＳＩＲ＿ａの近辺で増減されていたから、測定ＳＩＲ値がこの値ＳＩＲ＿ａの近傍となるようにアウターループ送信電力制御が行われている。このため、目標ＳＩＲ値が値ＳＩＲ＿ｂへとジャンプアップされたことにより、測定ＳＩＲ値が目標ＳＩＲ値を下回ることとなり、“Ｕｐ”コマンドを示すＴＰＣビットがＴＰＣビット生成部１７から出力されるようになる。そしてこの結果として基地局の送信電力が増加される。
【００３９】
基地局の送信電力が増加されれば、下り通信チャネルの通信品質は向上する。このため測定ＢＬＥＲ値は図３に示すように時刻ｔ１においては大幅に低下する。図３の例では、測定ＢＬＥＲ値は０％（エラーなし）まで低下している。
【００４０】
しかしこの後は、アウターループ送信電力制御が通常通りに機能し、測定ＢＬＥＲ値を目標ＢＬＥＲ値に近づけるような送信電力制御が行われる。目標品質設定部１２が出力する目標ＢＬＥＲ値は変更していないので、時刻ｔ１以前の期間と同様な状態に戻るべく送信電力制御が行われる。ただし、長区間品質測定部１１でのＢＬＥＲ値の測定は数百ｍｓから数ｓ程度の長区間で行われるので、送信電力制御は図３に示すように緩やかに行われ、やがてある時刻ｔ２において測定ＢＬＥＲ値が目標ＢＬＥＲ値に収束する。
【００４１】
このように、目標ＳＩＲ値をジャンプアップさせてからある程度の期間は、ＢＬＥＲ値が低減された状態となる。そしてこの期間には、データの受信をより確実に行うことが可能となる。
【００４２】
そこで主制御部９は、非確認型のメッセージなどのような確実に受信したいデータが到来するのに先立つ所定のタイミングで、上記のジャンプアップ指示を行うようにする。以下に、ジャンプアップ指示を行うタイミングの具体例を説明する。なおここでは、確実に受信したいデータを終話時の呼制御メッセージとして基地局から送信される“ＲＲＣ　ＣＯＮＮＥＣＴＩＯＮ　ＲＥＬＥＡＳＥ”とする。
【００４３】
図４および図５はパケット通信時のＬａｙｅｒ３メッセージのシーケンス図であり、図４は移動局側切断の場合を示し、図５は網側切断の場合を示す。
【００４４】
図４および図５に示すように、パケット通信の切断時には、“ＤＥＡＣＴＩＶＡＴＥ　ＰＤＰＣＯＮＴＥＸＴ　ＲＥＱＵＥＳＴ”“ＤＥＡＣＴＩＶＡＴＥ　ＰＤＰ　ＣＯＮＴＥＸＴ　ＡＣＣＥＰＴ”“ＲＲＣ　ＣＯＮＮＥＣＴＩＯＮ　ＲＥＬＥＡＳＥ”“ＲＲＣ　ＣＯＮＮＥＣＴＩＯＮ　ＲＥＬＥＡＳＥ　ＣＯＭＰＬＥＴＥ”なるメッセージが移動局と基地局との間で順次授受される。なお、“ＤＥＡＣＴＩＶＡＴＥ　ＰＤＰ　ＣＯＮＴＥＸＴ　ＲＥＱＵＥＳＴ”および“ＤＥＡＣＴＩＶＡＴＥ　ＰＤＰ　ＣＯＮＴＥＸＴ　ＡＣＣＥＰＴ”は、移動局側切断の場合と網側切断の場合とで送信方向が逆となる。
【００４５】
このように、“ＲＲＣ　ＣＯＮＮＥＣＴＩＯＮ　ＲＥＬＥＡＳＥ”が送られてくるのに先立ち、必ず“ＤＥＡＣＴＩＶＡＴＥ　ＰＤＰ　ＣＯＮＴＥＸＴ　ＲＥＱＵＥＳＴ”の授受が行われる。そこで主制御部９は、この“ＤＥＡＣＴＩＶＡＴＥ　ＰＤＰ　ＣＯＮＴＥＸＴ　ＲＥＱＵＥＳＴ”を送信したタイミングｔ１１または“ＤＥＡＣＴＩＶＡＴＥ　ＰＤＰ　ＣＯＮＴＥＸＴ　ＲＥＱＵＥＳＴ”を受信したタイミングｔ１２をトリガにして、ジャンプアップ指示をジャンプアップ制御部１４ｃへと与える。“ＤＥＡＣＴＩＶＡＴＥ　ＰＤＰ　ＣＯＮＴＥＸＴ　ＲＥＱＵＥＳＴ”と“ＲＲＣ　ＣＯＮＮＥＣＴＩＯＮ　ＲＥＬＥＡＳＥ”との間には“ＤＥＡＣＴＩＶＡＴＥ　ＰＤＰ　ＣＯＮＴＥＸＴ　ＡＣＣＥＰＴ”が授受されるために若干の時間が経過するので、上記のジャンプアップ指示に応じて基地局の送信電力が増加された後に“ＲＲＣ　ＣＯＮＮＥＣＴＩＯＮＲＥＬＥＡＳＥ”が送信されることになる。しかし、“ＤＥＡＣＴＩＶＡＴＥ　ＰＤＰ　ＣＯＮＴＥＸＴ　ＲＥＱＵＥＳＴ”“ＤＥＡＣＴＩＶＡＴＥ　ＰＤＰ　ＣＯＮＴＥＸＴ　ＡＣＣＥＰＴ”“ＲＲＣ　ＣＯＮＮＥＣＴＩＯＮ　ＲＥＬＥＡＳＥ”は連続的に授受されるものであり大きなウェイト時間は生じないため、“ＤＥＡＣＴＩＶＡＴＥ　ＰＤＰＣＯＮＴＥＸＴ　ＲＥＱＵＥＳＴ”の授受が行われてから“ＲＲＣ　ＣＯＮＮＥＣＴＩＯＮ　ＲＥＬＥＡＳＥ”が送信されるまでにそれほど多くの時間は要さない。これにより、図３における時刻ｔ１から時刻ｔ２までの期間中に“ＲＲＣ　ＣＯＮＮＥＣＴＩＯＮ　ＲＥＬＥＡＳＥ”の送信が行われることとなる。この結果、無線通信端末ではこの“ＲＲＣ　ＣＯＮＮＥＣＴＩＯＮ　ＲＥＬＥＡＳＥ”を低ＢＬＥＲ環境下で受信することができ、受信し損なう確率を極めて小さくすることができる。
【００４６】
図６および図７はＡＭＲ（音声通話）通信時およびＡＶ（ＴＶ電話）通信時のＬａｙｅｒ３メッセージのシーケンス図であり、図６は移動局側切断の場合を示し、図７は網側切断の場合を示す。
【００４７】
図６および図７に示すように、ＡＭＲ通信およびＡＶ通信の切断時には、“ＤＩＳＣＯＮＮＥＣＴ”“ＲＥＬＥＡＳＥ”“ＲＥＬＥＡＳＥ　ＣＯＭＰＬＥＴＥ”“ＲＲＣ　ＣＯＮＮＥＣＴＩＯＮ　ＲＥＬＥＡＳＥ”“ＲＲＣＣＯＮＮＥＣＴＩＯＮ　ＲＥＬＥＡＳＥ　ＣＯＭＰＬＥＴＥ”なるメッセージが移動局と基地局との間で順次授受される。なお、“ＤＩＳＣＯＮＮＥＣＴ”“ＲＥＬＥＡＳＥ”“ＲＥＬＥＡＳＥ　ＣＯＭＰＬＥＴＥ”は、移動局側切断の場合と網側切断の場合とで送信方向が逆となる。
【００４８】
このように、“ＲＲＣ　ＣＯＮＮＥＣＴＩＯＮ　ＲＥＬＥＡＳＥ”が送られてくるのに先立ち、必ず“ＤＩＳＣＯＮＮＥＣＴ”の授受が行われる。そこで主制御部９は、この“ＤＩＳＣＯＮＮＥＣＴ”を送信したタイミングｔ２１または“ＤＩＳＣＯＮＮＥＣＴ”を受信したタイミングｔ２２をトリガにして、ジャンプアップ指示をジャンプアップ制御部１４ｃへと与える。“ＤＩＳＣＯＮＮＥＣＴ”と“ＲＲＣ　ＣＯＮＮＥＣＴＩＯＮ　ＲＥＬＥＡＳＥ”との間には“ＲＥＬＥＡＳＥ”“ＲＥＬＥＡＳＥ　ＣＯＭＰＬＥＴＥ”が授受されるために若干の時間が経過するので、上記のジャンプアップ指示に応じて基地局の送信電力が増加された後に“ＲＲＣ　ＣＯＮＮＥＣＴＩＯＮ　ＲＥＬＥＡＳＥ”が送信されることになる。しかし、“ＤＩＳＣＯＮＮＥＣＴ”“ＲＥＬＥＡＳＥ”“ＲＥＬＥＡＳＥ　ＣＯＭＰＬＥＴＥ”“ＲＲＣ　ＣＯＮＮＥＣＴＩＯＮ　ＲＥＬＥＡＳＥ”は連続的に授受されるものであり大きなウェイト時間は生じないため、“ＤＩＳＣＯＮＮＥＣＴ”の授受が行われてから“ＲＲＣ　ＣＯＮＮＥＣＴＩＯＮ　ＲＥＬＥＡＳＥ”が送信されるまでにそれほど多くの時間は要さない。これにより、図３における時刻ｔ１から時刻ｔ２までの期間中に“ＲＲＣ　ＣＯＮＮＥＣＴＩＯＮ　ＲＥＬＥＡＳＥ”の送信が行われることとなる。この結果、無線通信端末ではこの“ＲＲＣ　ＣＯＮＮＥＣＴＩＯＮ　ＲＥＬＥＡＳＥ”を低ＢＬＥＲ環境下で受信することができ、受信し損なう確率を極めて小さくすることができる。
【００４９】
“ＲＲＣ　ＣＯＮＮＥＣＴＩＯＮ　ＲＥＬＥＡＳＥ”を移動局が受信し損ねると、無線通信端末は“ＲＲＣ　ＣＯＮＮＥＣＴＩＯＮ　ＲＥＬＥＡＳＥ”受信待ちの所定の時間がタイムアウトをするまで呼を終了することができない。この期間には、無線通信端末はＰＣＨ待ち受け状態にもなれないことから、ユーザが直ちに発呼操作を行うことができない状態に陥ってしまうこととなる。しかし本実施形態によれば、“ＲＲＣ　ＣＯＮＮＥＣＴＩＯＮ　ＲＥＬＥＡＳＥ”を高い確率で受信することが可能であるから、上記の状態に陥ってしまうことを防止することができる。
【００５０】
なお、本発明は上記実施形態に限定されるものではない。例えばＢＬＥＲ比較判定部１３へと与える測定ＢＬＥＲ値を一定値を加算した値に一時的に置き換えることによっても目標ＳＩＲ値をジャンプアップさせることが可能である。
【００５１】
本発明は上記実施形態のように“ＲＲＣ　ＣＯＮＮＥＣＴＩＯＮ　ＲＥＬＥＡＳＥ”などのような非確認型のデータの受信に関して適用するのが特に効果的であるが、いかなるデータであっても、１度で確実に受信したい場合には本発明を適用することが有効である。
【００５２】
ジャンプアップ指示を行うタイミングは、例えば図６および図７における“ＲＥＬＥＡＳＥ”の授受を行うタイミングなどのような別のタイミングとしても良い。すなわち、目標ＳＩＲ値のジャンプアップにともなう基地局の送信電力の増加が完了したのち、かつアウターループ送信制御により測定ＢＬＥＲ値が目標ＢＬＥＲ値に収束するまでの間に確実に受信したい対象のデータが送られてくるように、プロトコルなどの諸条件を考慮してジャンプアップ指示を行うタイミングを定めればよい。
【００５３】
一定量ΔＳＩＲを予めジャンプアップ制御部１４ｃに持たせておき、主制御部９からはトリガとしてのみジャンプアップ指示を与えるようにしても良い。
【００５４】
同様な送信電力制御を行うのであれば、Ｗ−ＣＤＭＡ方式以外の方式においても本発明の適用が可能である。
【００５５】
ＢＬＥＲ値に代えてＢＥＲ値を用いるなどのように、第１品質値および第２品質値ともに別の種類の品質値を用いることが可能である。
【００５６】
また、本発明は、インナーループ送信電力制御にも適用可能である。但し、インナーループ送信電力制御の場合には、測定ＢＬＥＲ値と目標ＢＬＥＲ値の比較による目標ＳＩＲ値の制御が行われない。インナーループ送信電力制御に本発明を適用する場合には、増減制御部１４ｂから目標ＳＩＲ出力部１４ａへの変更制御が行われないことを意味する。従って、一旦目標ＳＩＲ値がジャンプアップされると自動的に元の目標ＳＩＲ値には戻らないので、例えば、目標ＳＩＲ出力部１４ａ内にタイマを設けて、目標ＳＩＲ値がジャンプアップした数秒後に元の値にジャンプダウンするようにすればよいし、または、主制御部９が、確実に受信したい対象のデータを受信完了したのを確認した直後に、マイナスの値のΔＳＩＲ値をジャンプアップ制御部１４ｃに通知することで、ジャンプアップ制御部１４ｃが元の目標ＳＩＲ値に戻すように目標ＳＩＲ出力部を制御するので、図２の構成例がそのまま適用可能である。
【００５７】
このほか、本発明の要旨を逸脱しない範囲で種々の変形実施が可能である。
【００５８】
【発明の効果】
本発明によれば、個別チャネルの受信に関する第１品質値を測定し、この第１品質値と所定の目標第１品質値との大小関係に基づいて、基地局より送信される自局宛て個別チャネルの送信電力の増加指示または減少指示を生成する。一方、個別チャネルの受信に関する第２品質値を測定し、この第２品質値を所定の目標第２品質値に近づけるべく前記目標第１品質値を変化する。ただし個別チャネルを介して所定のデータが送られてくるのに先立つ所定のタイミングでは、目標第１品質値を一定量ジャンプアップさせる。これらにより、所定のデータが送られてくるのに先立って増加指示を強制的に生成し、これにより基地局に対して送信電力の増加を指示することとなり、所定のデータを大きな送信電力で基地局より送信させることで、そのデータを受信し損ねてしまう確率を低減することが可能となる。
【図面の簡単な説明】
【図１】本発明の一実施形態に係る無線通信端末のブロック図。
【図２】図１中のＴＰＣモジュール３ａのブロック図。
【図３】目標ＳＩＲ値と測定ＢＬＥＲ値との関係を示すグラフ。
【図４】パケット通信時のＬａｙｅｒ３メッセージの移動局側切断の場合におけるシーケンス図。
【図５】パケット通信時のＬａｙｅｒ３メッセージの網側切断の場合におけるシーケンス図。
【図６】ＡＭＲ（音声通話）通信時およびＡＶ（ＴＶ電話）通信時のＬａｙｅｒ３メッセージの移動局側切断の場合におけるシーケンス図。
【図７】ＡＭＲ（音声通話）通信時およびＡＶ（ＴＶ電話）通信時のＬａｙｅｒ３メッセージの網側切断の場合におけるシーケンス図。
【符号の説明】
１…アンテナ
２…無線部
２ａ…デュプレクサ
２ｂ…受信回路
２ｃ…周波数シンセサイザ
２ｄ…送信回路
３…ＣＤＭＡ処理部
３ａ…ＴＰＣモジュール
３ｂ…逆拡散部
３ｃ…Ｒａｋｅ受信部
４…圧縮伸長部
５…ＰＣＭ処理部
６…通話部
６ａ…レシーバアンプ
６ｂ…スピーカ
６ｃ…マイクロホン
６ｄ…送話アンプ
７…ユーザインタフェース部
７ａ…表示部
７ｂ…入力部
８…記憶部
９…主制御部
９ａ…ジャンプアップ指示部
１１…長区間品質測定部
１２…目標品質設定部
１３…ＢＬＥＲ比較判定部
１４…目標ＳＩＲ生成部
１４ａ…目標ＳＩＲ出力部
１４ｂ…増減制御部
１４ｃ…ジャンプアップ制御部
１５…ＳＩＲ測定部
１６…ＳＩＲ比較判定部
１７…ＴＰＣビット生成部
【図１】
2004112097.tif 000003
【図２】
2004112097.tif 000004
【図３】
2004112097.tif 000005
【図４】
2004112097.tif 000006
【図５】
2004112097.tif 000007
【図６】
2004112097.tif 000008
【図７】
2004112097.tif 000009